(57)【要約】【課題】  表示装置の特性に変更があった場合や、ユーザの特徴に変更があった場合でも、アプリケーションを変更することなく、その変更に対応する。【解決手段】  表示制御装置は、紙詰まりの表示要求メッセージを受信すると（ステップＳ１）、ディスプレイの表示特性を取得し（ステップＳ２）、コンテキスト上のユーザ情報を取得する（ステップＳ３）。そして、表示制御装置は、ステップＳ２で取得したディスプレイ特性と、ステップＳ３で取得したユーザ情報と、に対応するようなスタイル情報を取得する（ステップＳ４）。表示制御装置は、スタイル情報の取得後、表示要求メッセージ全体を検査して、これを解析し（ステップＳ５）、その解析の結果に基づいてレイアウトされたメッセージ及び画像を、ディスプレイのダイアログ中に表示する（ステップ６）。【選択図】  図３
2006268581.tif 000002
【特許請求の範囲】
【請求項１】
ユーザの特性を示すユーザ情報を記憶するユーザ情報記憶手段と、
所定の処理を行うアプリケーションプログラムが示唆するメッセージと、当該メッセージについての複数の表示内容と、を関連付けて記憶するメッセージデータ記憶手段と、
前記メッセージデータ記憶手段に記憶された表示内容に関するスタイル情報を記憶するスタイル情報記憶手段と、
認証されたユーザのユーザ情報と、表示手段の表示特性と、前記アプリケーションプログラムが示唆したメッセージ及びその表示内容と、前記スタイル情報とに基づいて、前記アプリケーションプログラムが示唆したメッセージを示す表示内容を、前記表示手段に表示するように制御する表示制御手段と、
を備えた表示制御装置。
【請求項２】
前記表示制御手段は、前記アプリケーションプログラムが示唆したメッセージの各表示内容の中から前記ユーザ情報に対応する表示内容を選択し、選択した表示内容を前記スタイル情報に基づいて前記表示手段に表示するように制御すること
を特徴とする請求項１に記載の表示制御装置。
【請求項３】
前記表示制御手段は、前記スタイル情報記憶手段に記憶されたスタイル情報から、前記ユーザ情報及び前記表示特性に対応するスタイル情報を読み出し、読み出したスタイル情報に基づいて、前記選択した表示内容を前記表示手段に表示するように制御すること
を特徴とする請求項２に記載の表示制御装置。
【請求項４】
前記表示手段が表示する表示内容に対応する音声を出力する音声出力手段を更に備えたこと
を特徴とする請求項１から請求項３のいずれか１項に記載の表示制御装置。
【請求項５】
ユーザの特性を示すユーザ情報を記憶するユーザ情報記憶手段と、所定の処理を行うアプリケーションプログラムが示唆するメッセージと当該メッセージについての複数の表示内容とを関連付けて記憶するメッセージデータ記憶手段と、前記メッセージデータ記憶手段に記憶された表示内容に関するスタイル情報を記憶するスタイル情報記憶手段とから、認証されたユーザのユーザ情報と、前記アプリケーションプログラムが示唆したメッセージ及びその表示内容と、前記スタイル情報とを読み出し、
読み出した情報と表示手段の表示特性とに基づいて、前記アプリケーションプログラムが示唆したメッセージを示す表示内容を、前記表示手段に表示するように制御すること
を特徴とする表示制御方法。
【請求項６】
前記アプリケーションプログラムが示唆したメッセージの各表示内容の中から前記ユーザ情報に対応する表示内容を選択し、選択した表示内容を前記スタイル情報に基づいて前記表示手段に表示するように制御すること
を特徴とする請求項５に記載の表示制御方法。
【請求項７】
前記スタイル情報記憶手段に記憶されたスタイル情報から、前記ユーザ情報及び前記表示特性に対応するスタイル情報を読み出し、読み出したスタイル情報に基づいて、前記選択した表示内容を前記表示手段に表示するように制御すること
を特徴とする請求項６に記載の表示制御方法。
【請求項８】
前記表示手段が表示する表示内容に対応する音声を出力すること
を特徴とする請求項５から請求項７のいずれか１項に記載の表示制御方法。
【請求項９】
所定のアプリケーションプログラムに関連する内容を表示する表示手段と、
ユーザ情報に基づいて前記表示手段の表示特性を変更する変更手段と、を備え、
前記表示手段は、前記変更手段により表示特性が変更された場合に、変更された表示特性に基づいて、前記アプリケーションプログラムに関連する内容を変更して表示すること
を特徴とする情報処理装置。
【請求項１０】
所定のアプリケーションプログラムに関連する内容を表示手段に表示し、
ユーザ情報に基づいて前記表示手段の表示特性が変更された場合に、変更された表示特性に基づいて、前記アプリケーションプログラムに関連する内容を変更して表示すること
を特徴とする情報処理方法。
【発明の詳細な説明】
【技術分野】
【０００１】
本発明は、表示制御装置及び方法並びに情報処理装置及び方法に係り、特に、フォントや色について処理する表示制御装置及び方法並びに情報処理装置及び方法に関する。
【背景技術】
【０００２】
従来、表示装置は、アプリケーションからの表示要求に基づき、アプリケーションから示された表示データを表示する。この際、アプリケーションは、表示位置や色などを指定するだけでなく、表示内容の詳細も指定する。表示の内容には、例えば、文字列や、特定の言語情報に依存するばかりでなく表示装置の能力を考慮したフォントなどを含んでいる。
【０００３】
例えば、コンピュータ装置において、フォントＲＯＭを使用することなく、しかも主記憶装置の記憶領域を大幅に減少させず文字フォントを表示する文字表示装置および文字表示方法が開示されている（例えば、特許文献１を参照。）。
【０００４】
特許文献１では、同公報の図１に示すように、主記憶装置４は、使用頻度の高い文字フォントをハードディスク３から予めロードしておき、その文字フォントの文字コードとアドレスとを対応させたフォントテーブルを格納するフォントキャッシュ領域４ｂを設けている。
【０００５】
キャッシュ検索部１ｃは、アプリケーション実行部１ａから出力された文字コードをフォントテーブル上に検索して、表示要求された文字フォントがフォントキャッシュ領域４Ｂ中に有るか判別する。文字フォントがある場合、フォント表示部１ｅは、その文字フォントを表示用メモリ５に転送してＣＲＴ６に文字フォントを表示させる。また、文字フォントがない場合、フォントロード部１ｄは、フォントキャッシュ領域４ｂにロードしてから文字フォントを転送する。
【特許文献１】特開平７−１９９８９８号公報
【発明の開示】
【発明が解決しようとする課題】
【０００６】
このような構成において、例えば表示装置の特性（例えば解像度）が変更された場合、表示位置が変更されたり、表示内容も変わることがある。そのため、このような変更にも対応するためには、アプリケーション（アプリケーション実行部１ａ）を変更しなければならない問題があった。
【０００７】
また、色覚障害者が使用する場合、特定の色を他の色に変更したり、音声による通知をしたりすることなど、アプリケーションを随時変更することも望まれている。
【０００８】
本発明は、上述した課題を解決するために提案されたものであり、表示装置の特性に変更があった場合や、ユーザの特徴に変更があった場合でも、アプリケーションを変更することなく、その変更に対応することができる表示制御装置及び方法並びに情報処理装置及び方法を提供することを目的とする。
【課題を解決するための手段】
【０００９】
本発明に係る表示制御装置は、ユーザの特性を示すユーザ情報を記憶するユーザ情報記憶手段と、所定の処理を行うアプリケーションプログラムが示唆するメッセージと、当該メッセージについての複数の表示内容と、を関連付けて記憶するメッセージデータ記憶手段と、前記メッセージデータ記憶手段に記憶された表示内容に関するスタイル情報を記憶するスタイル情報記憶手段と、認証されたユーザのユーザ情報と、表示手段の表示特性と、前記アプリケーションプログラムが示唆したメッセージ及びその表示内容と、前記スタイル情報とに基づいて、前記アプリケーションプログラムが示唆したメッセージを示す表示内容を、前記表示手段に表示するように制御する表示制御手段と、を備えている。
【００１０】
本発明に係る表示制御方法は、ユーザの特性を示すユーザ情報を記憶するユーザ情報記憶手段と、所定の処理を行うアプリケーションプログラムが示唆するメッセージと当該メッセージについての複数の表示内容とを関連付けて記憶するメッセージデータ記憶手段と、前記メッセージデータ記憶手段に記憶された表示内容に関するスタイル情報を記憶するスタイル情報記憶手段とから、認証されたユーザのユーザ情報と、前記アプリケーションプログラムが示唆したメッセージ及びその表示内容と、前記スタイル情報とを読み出し、読み出した情報と表示手段の表示特性とに基づいて、前記アプリケーションプログラムが示唆したメッセージを示す表示内容を、前記表示手段に表示するように制御することを特徴とする。
【００１１】
ユーザ情報は、ユーザの特性を認識することができる情報であれば特に限定されず、例えば、国籍、言語、身体的特徴などであってもよい。アプリケーションプログラムは、所定の処理を行い、必要に応じてシステム状態を示唆するメッセージを出力するものであればよい。
【００１２】
所定の処理を行うアプリケーションプログラムが示唆するメッセージと当該メッセージについての複数の表示内容とは関連付けられて記憶されている。例えば、アプリケーションプログラムが示唆するメッセージに対して、複数の言語で表された表示内容や、様々な言い回しの表示内容が関連付けられている。
【００１３】
スタイル情報は、前記表示内容を表示するときに使用するものであり、ユーザ情報や表示手段の表示特性に応じた様々な情報がある。
【００１４】
そして、アプリケーションプログラムが示唆したメッセージを示す表示内容は、認証されたユーザのユーザ情報と、表示手段の表示特性と、前記アプリケーションプログラムが示唆したメッセージ及びその表示内容と、前記スタイル情報とに基づいて、表示手段に表示される。
【００１５】
したがって、本発明に係る表示制御装置及び方法は、認証されたユーザのユーザ情報と、表示手段の表示特性と、アプリケーションプログラムが示唆したメッセージ及びその表示内容と、スタイル情報とに基づいて、アプリケーションプログラムが示唆したメッセージを示す表示内容を、表示手段に表示するように制御することにより、ユーザや表示手段の表示特性に応じて、アプリケーションプログラムが示唆したメッセージの内容を表示することができる。
【００１６】
前記表示制御装置では、前記表示制御手段は、前記アプリケーションプログラムが示唆したメッセージの各表示内容の中から前記ユーザ情報に対応する表示内容を選択し、選択した表示内容を前記スタイル情報に基づいて前記表示手段に表示するように制御してもよい。
【００１７】
前記表示制御方法では、前記アプリケーションプログラムが示唆したメッセージの各表示内容の中から前記ユーザ情報に対応する表示内容を選択し、選択した表示内容を前記スタイル情報に基づいて前記表示手段に表示するように制御してもよい。
【００１８】
これにより、上記発明は、ユーザの変更があった場合でも、アプリケーションプログラムが示唆したメッセージの各表示内容の中からユーザ情報に対応する表示内容を選択するので、アプリケーションプログラムを変更することなく、ユーザに最適なメッセージ内容を表示することができる。
【００１９】
前記表示制御装置では、前記表示制御手段は、前記スタイル情報記憶手段に記憶されたスタイル情報から、前記ユーザ情報及び前記表示特性に対応するスタイル情報を読み出し、読み出したスタイル情報に基づいて、前記選択した表示内容を前記表示手段に表示するように制御してもよい。
【００２０】
前記表示制御方法では、前記スタイル情報記憶手段に記憶されたスタイル情報から、前記ユーザ情報及び前記表示特性に対応するスタイル情報を読み出し、読み出したスタイル情報に基づいて、前記選択した表示内容を前記表示手段に表示するように制御してもよい。
【００２１】
また、前記表示制御装置は、前記表示手段が表示する表示内容に対応する音声を出力する音声出力手段を更に備えてもよい。
【００２２】
前記表示制御方法は、前記表示手段が表示する表示内容に対応する音声を出力してもよい。
【発明の効果】
【００２３】
本発明に係る表示制御装置及び方法は、認証されたユーザのユーザ情報と、表示手段の表示特性と、アプリケーションプログラムが示唆したメッセージ及びその表示内容と、スタイル情報とに基づいて、アプリケーションプログラムが示唆したメッセージを示す表示内容を、表示手段に表示するように制御することにより、ユーザや表示手段の表示特性に応じて、アプリケーションプログラムが示唆したメッセージの内容を表示することができる。
【００２４】
本発明に係る情報処理装置及び方法は、ユーザ情報に基づいて前記表示手段の表示特性が変更された場合に、変更された表示特性に基づいて、前記アプリケーションプログラムに関連する内容を変更して表示することができる。
【発明を実施するための最良の形態】
【００２５】
以下、本発明の好ましい実施の形態について図面を参照しながら詳細に説明する。
【００２６】
図１は、本発明の実施の形態に係る画像処理システムの構成を示すブロック図である。画像処理システムは、アプリケーションを用いて画像処理、印刷出力などの様々な処理を行い、処理の最中に紙詰まり、紙不足などが発生すると、そのシステム状態をユーザに通知するものである。
【００２７】
上記画像処理システムは、いわゆるタッチパネルで構成されたディスプレイ１１と、ポインティングデバイスであるマウス１２と、文字や記号等を入力するキーボード１３と、音声を出力するスピーカ１４と、印刷するプリンタ１５と、紙原稿を光学的に読み取るスキャナ１６と、図示しない記憶装置に記憶されたアプリケーション１７と、を備えている。
【００２８】
さらに、上記画像処理システムは、ユーザ情報を記憶した記憶装置であるユーザ情報データベース１８と、メッセージを記憶した記憶装置であるメッセージデータベース１９と、スタイルを記憶した記憶装置であるスタイルデータベース２０と、表示制御を行う表示制御装置２１と、を備えている。
【００２９】
ディスプレイ１１、マウス１２、キーボード１３、スピーカ１４、アプリケーション１７、ユーザ情報データベース１８、メッセージデータベース１９、スタイルデータベース２０は、それぞれ表示制御装置２１に接続されている。アプリケーション１７は、図示しないドライバを介して、スキャナ１６やアプリケーション１７を制御できる。
【００３０】
ユーザ情報データベース１８には、ユーザ毎に、ユーザＩＤ及びユーザ特性が記憶されている。ユーザＩＤは、ユーザの個人認証を行うときに用いられる。個人認証の手法は特に限定されないが、例えば、パスワードの入力、ＩＣ／磁気カードの読取、バイオメトリクス（例えば、指紋、虹彩など）がある。ユーザ特性としては、例えば、ユーザの身体的特徴（弱視か否か等）、ユーザの国籍、ユーザが使用する言語などがある。表示制御装置２１は、個人認証後に、ユーザの特性を認識する。
【００３１】
メッセージデータベース１９には、メッセージの様々な表示要素が記憶されている。表示要素としては、メッセージ内容、メッセージに関連する画像などがある。以下では、「紙詰まり」のメッセージ内容を例に挙げて説明する。
【００３２】
図２は、メッセージデータベース１９に記憶されている紙詰まりメッセージデータの構造を示す図である。メッセージデータベース１９に記憶されている様々なメッセージデータは、識別子によって区別されている。なお、紙詰まりを示唆する識別子は、「ＰＲＭＳＧ０１０」である。
【００３３】
紙詰まりメッセージデータは、「国籍（Ｃｏｕｎｔｒｙ）」、「言語（Ｌａｎｇ）」、「メディア種別（Ｍｅｄｉａ  Ｔｙｐｅ）」、「内容（Ｃｏｎｔｅｎｔ）」を有している。「国籍」はユーザの国を示し、「言語」はユーザが使用する言語を示している。
【００３４】
「メディア種別」は、メッセージを表示するメディアの種別を表している。なお、メディアとしては、シンプル・フル・テキスト、リッチ・フル・テキスト、シンプル・ショート・テキスト、リッチ・ショート・テキストなどのテキストファイルに限らず、アイコンとして使用できるＰＮＧ（Ｐｏｒｔａｂｌｅ  Ｎｅｔｗｏｒｋ  Ｇｒａｐｈｉｃｓ）等の画像圧縮ファイルであってもよい。
【００３５】
「内容」は、「国籍」、「言語」、「メディア種別」によって決定される具体的なメッセージを示している。例えば「言語」が「ｊｐ（日本語）」の場合、「内容」は、「紙詰まりが発生しました」又は「紙詰まりです」となる。なお、タグで囲まれた文字列（＜ｅｍ＞…＜／ｅｍ＞）は、リッチテキストによって表示される文字列である。「国籍」が「ＵＳ（アメリカ合衆国）」であり「言語」が「ｅｎ（英語）」の場合、「内容」は、「Ｐａｐａｅｒ  ｊａｍｍｅｄ．」となる。
【００３６】
「国籍」が「中国（ＣＮ）」であり「言語」が「ｃｎ（中国語）」の場合、「内容」は、「ｆｉｌｅ：／／ｒｏｏｔ／ｉｕｉ−ｄａｔａ／ｉｃｏｎ／１／ｐｒｍｓｇ０１０．ｐｎｇ」である。これは、メッセージを画像で表示するときの画像データの格納先を表している。
【００３７】
スタイルデータベース２０には、様々なユーザや様々なディスプレイに対応するように、表示内容に関する様々なスタイル情報（例えば、ウィンドウ形状、ボタン／メニューデザイン、フォント、フォントサイズ、色など）が記憶されている。
【００３８】
以上のように構成された画像処理システムにおいて、ユーザ認証処理が行われた後、アプリケーション１７は、表示制御装置２１を介して、ユーザとインタラクションを行い、ジョブ（本実施形態ではコピー）を組み立てた後、プリンタ１５にコピーを実行させる。アプリケーション１７は、コピー実行中に紙詰まりを検知すると、紙詰まりをユーザに通知するための表示要求メッセージを表示制御装置２１に送信する。このとき、表示制御装置２１は、次の処理を実行することで、ユーザに紙詰まりがあることを通知する。
【００３９】
図３は、メッセージ表示ルーチンを示すフローチャートである。表示制御装置２１は、表示要求メッセージを受信したか否かを判定し、表示要求メッセージを受信するまで待機する（ステップＳ１）。
【００４０】
図４は、紙詰まりの表示要求メッセージを示す図である。紙詰まりの表示要求メッセージは、システム状態を示唆する識別子、簡単なレイアウト構成に関する情報を含んでいるが、システム状態に関するメッセージの具体的な文字列、文字列のフォントや色などの情報を含んでいない。
【００４１】
表示制御装置２１は、紙詰まりの表示要求メッセージを受信すると、ディスプレイ１１の表示特性を取得する（ステップＳ２）。本実施形態では、スタイルデータベース２０から読み出された表示特性は、フルカラー、８００×６００ピクセル画面であるものとする。
【００４２】
表示制御装置２１は、表示特性の取得後、ユーザ情報データベース１８にアクセスして、コンテキスト（ｃｏｎｔｅｘｔ）上のユーザ情報を取得する（ステップＳ３）。本実施形態では、取得されたユーザ情報は、弱視で色覚障害者を示すものとする。
【００４３】
表示制御装置２１は、ユーザ情報の取得後、スタイルデータベース２０にアクセスする。そして、ステップＳ２で取得したディスプレイ特性と、ステップＳ３で取得したユーザ情報と、に対応するようなスタイル情報（例えば、ウィンドウ形状、ボタン／メニューデザイン、リッチ・ショート・テキスト、フォント、フォントサイズ、色など）を取得する（ステップＳ４）。本実施形態では、表示制御装置２１は、フルカラーの８００×６００ピクセル画面で、弱視で色覚障害のあるユーザに対してメッセージを表示するためのスタイル情報を取得する。
【００４４】
表示制御装置２１は、スタイル情報の取得後、表示要求メッセージ全体を検査して、これを解析する（ステップＳ５）。本実施形態では、表示制御装置２１は次の処理を行う。
【００４５】
表示制御装置２１は、最初に、表示要求メッセージの１行目の記述に基づいて、緊急ダイアローグ用のウィンドウ（例えば、弱者向けの大きなウィンドウ）を準備し、表示要求メッセージの２及び３行目の記述に基づいて、レイアウト情報（横並び、自動スペース挿入）をスタックに積む。
【００４６】
表示制御装置２１は、つぎに、表示要求メッセージの４行目の記述に基づいて、弱視／視覚障害者向けのものであって、コントラストの強い、大きな画像を現す画像データ（識別子「ＰＲＰＩＣ２３１」）をメッセージデータベース１９から読み出し、表示要求メッセージの５行目の記述に基づいて、レイアウト情報（縦並び、スペースなし）をスタックに積む。
【００４７】
表示制御装置２１は、表示要求メッセージの７、８行目の記述に基づいて、メッセージ（弱視／色覚障害者向けでカラー大画面用の装飾付き文字列）を現すメッセージデータをメッセージデータベース１９から読み出す。
【００４８】
本実施形態では、表示制御装置２１は、メッセージデータベース１９から、識別子「ＰＲＭＳＧ０１０」のメッセージデータ（図２）にアクセスし、「国籍」が日本、「言語」が日本語、「メディア種別」がリッチ・ショートに対応するメッセージデータ（＜ｅｍ＞紙詰まり＜／ｅｍ＞です）を読み出す。さらに、表示制御装置２１は、識別子「ＰＲＭＳＧ８３４」のメッセージデータ（図示せず）にアクセスし、メッセージデータ（＜ｅｍ＞トレイ＜／ｅｍ＞を＜ｂ＞開けて＜／ｂ＞ください）を読み出す。
【００４９】
表示制御装置２１は、表示要求メッセージの９行目の記述に基づいて、メッセージ画面用のボタンを準備し、そのボタン内に表示するメッセージ（弱視／色覚障害者向けでカラー大画面用の装飾付き文字列「ＯＫ」）を現すメッセージデータをメッセージデータベース１９から読み出し、ボタンのスタイルに合わせて、文字列「ＯＫ」をボタン内にレイアウトする。
【００５０】
そして、表示制御装置２１は、スタック上のレイアウト情報に基づいて、２つのメッセージと１つのボタンを縦に並べて、画像データによって現された画像と上述した２つのメッセージとの間にスペースを挿入して、これらを横に並べる。最後に、表示制御装置２１は、上記のようにレイアウトされたメッセージ及び画像を、ディスプレイ１１のダイアログ中に表示する（ステップ６）。その後、ユーザからの入力があるまで待機する。
【００５１】
図５は、紙詰まりメッセージ画面を示す図である。この紙詰まりメッセージ画面は、弱視／色覚障害者が判断できるように、色を使うことなく必要な情報を表示している。具体的には、「紙詰まり」、「トレイ」、「開けて」の各々の文字列、ＯＫボタンが大きくなっており、プリンタの画像が大きく、かつコントラストが強く現れている。
【００５２】
また、表示制御装置２１は、弱視の強いユーザに対しては、メッセージ内容の音声データを用いて、スピーカ１４から音声（例えば「紙詰まりです。トレイを開けて下さい。」）を出力してもよい。これにより、ディスプレイ１１に表示されているメッセージ内容を、音声によって補助することができる。
【００５３】
なお、表示制御装置２１は、色覚障害等のないユーザに対しては、他の紙詰まりメッセージをディスプレイ１１に表示させることができる。
【００５４】
図６は、他の紙詰まりメッセージ画面を示す図である。この紙詰まりメッセージ画面は、例えば、淡い色の他のアプリケーションのウィンドウと共に、紙詰まりを示唆するカラーのメッセージを表示している。なお、アプリケーションは一切変更されていない。これらの表示要素は、すべてメッセージデータベース１９に含まれている。表示制御装置２１は、ユーザ情報とスタイル情報とに基づいて、最適なデータを選択し、選択したデータに基づいてメッセージをディスプレイ１１に表示する。
【００５５】
以上のように、本発明の実施の形態に係る画像処理システムは、ユーザ特性を示すユーザ情報と、様々な言語や表現で同じ意味のメッセージを表すメッセージデータと、フォント、色などの表示スタイルを示すスタイル情報と、を予め記憶する。そして、画像処理システムは、アプリケーションが所定のシステム状態を示唆する識別子を出力すると、その識別子と、現在使用しているユーザのユーザ情報と、ディスプレイ１１の表示特性と、に基づいて、ユーザ及びディスプレイ１１にカスタマイズされたメッセージを表示することができる。
【００５６】
これにより、上記画像処理装置は、ユーザの変更に伴って表示すべき言語が変わったとしても、アプリケーションを変更することなく、そのユーザが使用する言語に対応したメッセージを表示することができる。また、上記画像処理装置は、ユーザがハンディキャップを有していても、そのユーザが理解し易いようなメッセージを表示したり、音声を出力することができる。
【００５７】
なお、本発明は、上述した実施の形態に限定されるものではなく、特許請求の範囲に記載された範囲内で設計上の変更をされたものにも適用可能であるのは勿論である。
【図面の簡単な説明】
【００５８】
【図１】本発明の実施の形態に係る画像処理システムの構成を示すブロック図である。
【図２】メッセージデータベースに記憶されている紙詰まりメッセージデータの構造を示す図である。
【図３】メッセージ表示ルーチンを示すフローチャートである。
【図４】紙詰まりの表示要求メッセージを示す図である。
【図５】紙詰まりメッセージ画面を示す図である。
【図６】他の紙詰まりメッセージ画面を示す図である。
【符号の説明】
【００５９】
１１  ディスプレイ
１４  スピーカ
１７  アプリケーション
１８  ユーザ情報データベース
１９  メッセージデータベース
２０  スタイルデータベース
２１  表示制御装置
【図１】
2006268581.tif 000003
【図２】
2006268581.tif 000004
【図３】
2006268581.tif 000005
【図４】
2006268581.tif 000006
【図５】
2006268581.tif 000007
【図６】
2006268581.tif 000008